(57)【要約】本発明は下部周囲支持面を備えるムーブメントを収容するケースを備える時計に関するものであり、上記ケースは背面カバー及びガラスが別個に接合されたケース中間部を備えている。上記時計は、下部保持面を有する固定要素を備え、ムーブメントは上部周囲支持面を備え、固定要素の下部保持面と上部周囲支持面は相互に接触しており、背面カバーはムーブメントの下部周囲支持面が取付けられている環状周囲肩部を備え、ムーブメントはその下部周囲支持面とその上部周囲支持面との間で、それぞれ背面カバーの環状周囲肩部及び固定要素の下部保持面により押さえ付けられていることを特徴とする。【選択図】図１
2016515709.tif 000002
【特許請求の範囲】
【請求項１】
下部周囲支持面（３１）を備えるムーブメント（３）を収容するケース（２）を備える時計（１）であって、前記ケース（２）は背面カバー（４）及びガラス（５）は別個に接合されたケース中間部（２０）を備えており、前記時計（１）は下部保持面を有する固定要素を更に備え、前記ムーブメント（３）は上部周囲支持面（３２）を備え、前記固定要素の前記下部保持面と前記上部周囲支持面（３２）とは相互に接触しており、背面カバー（４）は前記ムーブメント（３）の前記下部周囲支持面（３１）が取付けられている環状周囲肩部（４１）を備え、前記ムーブメント（３）は、前記ムーブメント（３）の前記下部周囲支持面（３１）と前記上部周囲支持面（３２）との間で、それぞれ前記背面カバー（４）の前記環状周囲肩部（４１）及び前記固定要素の前記下部面により押さえ付けられていることを特徴とする時計。
【請求項２】
前記下部（３１）及び上部（３２）周囲支持面は少なくとも部分的に重なっていることを特徴とする請求項１に記載の時計（１）。
【請求項３】
前記固定要素の前記下部保持面は前記ガラス（５）の外端部（５１）の領域（５２）に形成されていることを特徴とする請求項１または２のいずれかに記載の時計。
【請求項４】
背面カバー（４）とケース中間部（２０）とは１つの部品を形成することを特徴とする請求項３に記載の時計（１）。
【請求項５】
前記ガラス（５）の前記外端部（５１）は全体的に前記背面カバー（４）の前記環状周囲肩部（４１）に重なっていることを特徴とする請求項３または４のいずれかに記載の時計（１）。
【請求項６】
前記ムーブメント（３）の直径は２５〜４０ミリメートルであり、前記背面カバー（４）の周囲肩部（４１）の第１幅（Ｌ）は最大で５ミリメートルに及び、前記ガラス（５）の前記外端部（５１）の第３幅（Ｔ）は最大で８ミリメートルに及び、前記外端部（５１）の前記領域（５２）の第２幅（ｌ）は最大で４ミリメートルに及ぶことを特徴とする請求項３〜５のいずれかに記載の時計（１）。
【請求項７】
背面カバーは一定の厚さの環状周囲肩部（４１）、及び多様な厚さの中空中央部（４０）を備えていることを特徴とする請求項１〜６のいずれかに記載の時計（１）のための背面カバー（４）。
【請求項８】
前記中空中央部（４０）は放物形状であることを特徴とする請求項７に記載の時計（１）のための背面カバー（４）。
【請求項９】
前記背面カバーの最大厚さ（Ｅ）は３〜５ミリメートルであり、前記背面カバーの最小厚さ（ｅ）は２．５〜４ミリメートルであることを特徴とする請求項７または８のいずれかに記載の時計（１）のための背面カバー。
【請求項１０】
前記周囲肩部（４１）の幅はムーブメントの直径値の４分の１〜１０分の１であることを特徴とする請求項７〜９のいずれかに記載の時計（１）のための背面カバー。
【請求項１１】
前記ケース（２）内の前記ムーブメント（３）の接合は以下の工程：
‐前記ムーブメント（３）を文字盤側から前記ケース（２）内に挿入する工程；
‐前記背面カバー（４）の環状周囲肩部（４１）に対して前記ムーブメント（３）の下部周囲支持面（３１）を固定する工程；次に、
‐前記ムーブメント（３）の上部周囲支持面（３２）に接している固定要素を用いて前記背面カバー（４）に対して前記ムーブメント（３）を固定する工程を含み、そうすることで、前記ムーブメントは前記ムーブメント（３）の前記下部周囲支持面（３１）と前記ムーブメント（３）の前記上部周囲支持面（３２）との間で、それぞれ前記背面カバー（４）の前記環状周囲肩部（４１）及び前記固定要素の下部保持面により押さえ付けられていることを特徴とする請求項１〜６のいずれかに記載の時計（１）のための接合方法。
【請求項１２】
背面カバー（４）とケース中間部（２０）とは１つの部品を形成し、前記固定要素の前記下部保持面は前記ガラス（５）の外端部（５１）の領域（５２）に形成され、前記固定工程は前記ケース中間部（２０）に前記ガラス（５）を接合する工程と共に行われることを特徴とする請求項１１に記載の時計（１）のための接合方法。
【発明の詳細な説明】
【技術分野】
【０００１】
本発明は時計ケース内のムーブメント、特にダイバーズウォッチのケース内のムーブメントを固定するための装置及び方法に関する。
【背景技術】
【０００２】
時計製作法の分野では、一般的にムーブメントを配置するプレートは螺子溝、すなわちムーブメントをケースに取り付けるために上部の縁を備えている。このため、螺子溝は、螺子溝の穴に挿入する留め具や螺子を利用して固定され、これによってケース中間部の肩部に向けて押し付けることができる。このタイプの取付け具は信頼性が高く、両面での使用が可能であるという利点を有するが、螺子や留め具に多様な操作が必要であることから実行は比較的複雑であるという欠点も有し、このことは生産性に重大な影響を及ぼし、この方法は大量生産を目的とする時計の製造には適さないものとなる。
【０００３】
本出願人による米国特許公報第２００２／０１３１３３２号には、螺子溝または留め具の使用が必要ではないが、固定螺子は使用するムーブメントを取付けるための代替法が記載されている。ムーブメントをベゼルに接合するために第１の螺子一式はムーブメントの周囲に配置された穴を介して挿入し、その後、第２の螺子一式を使用して同じベゼルに背面カバーを接合している。従ってこのタイプの取付け具の中心的要素はケース中間部ではなく時計のベゼルとなっているが、それにもかかわらず生産性に関する同様の欠点が残っており、その欠点はムーブメントの接合中に必要な螺子留め操作が増えるためにむしろ際立っている。
【０００４】
このため、通常ケーシングリングなどの中間部品を利用するプレス嵌め取付け方法が好ましい場合もあり、これは小さく調整されたムーブメントを大きめのケースに嵌めることも可能にする。
【０００５】
本出願人による欧州特許第１０４６９６７号に記載の解決手段は、例えば、ケースにおいて決定された位置へのムーブメントの半径方向または軸方向の調整を可能にするように意図された塑性的変形可能な材料から形成されたケーシングリングを利用するこのようなムーブメントの取付け方法に関する。
【０００６】
選択された取付け方法に関係なく、螺子溝の下部枠は常にケース中間部の一部に接しており、ケース中間部と一体化しているケース背面部、または一体化していないケース背面部の形状は、機械加工公差の範囲内でムーブメントの下部の形状に一致している。米国特許第４５５８９５５号にはムーブメントを取付けるためのこのような解決手段が記載されており、ここではムーブメントは一部品ケース中間部‐背面カバー内の中空部に直接に収容され、それが接するこの中空部の底部と、ガラス部に維持されている文字盤との間に同軸的に保持される。このタイプの取付け方法の欠点は、特に半水中での使用において、背面カバーのあらゆる変形がプレート上で直接復元され、背面カバーは特に傷つきやすいことである。
【０００７】
時計の構成部品におけるあらゆる偶発的な変形を防ぐため、代替法は、特にプラスチック製時計で、例えば、ケースを強化する為の金属または他のタイプの材料から形成されるフレームを含んだ強化構造を使用することにある。しかしこの代替法は、魅力あるケースの外観を保ちたい場合、特に少なくとも部分的に透明にしたい場合には考えられない。
【０００８】
その他では、ムーブメントに加えて他の内部モジュールを収容する時計用の二重背面カバーを備える公知の構造も存在する。欧州特許第０６７０５３２号は、例えば、圧力センサが備えられた時計に関連し、これはケーシングリングを利用しているケース中間部に従来の方法で接合したムーブメントを記載しており、内部背面にはケースの背面カバーで被覆された圧力センサが収容されている。しかしこのような構造には、ケースに相当な厚みを付与しなければならず、また各背面への接合操作が重複するため生産時間が遅くなるという欠点がある。
【０００９】
従って、これらの公知の制限のないケースの内側にムーブメントを取付けるための方法及び装置が必要である。
【先行技術文献】
【特許文献】
【００１０】
【特許文献１】米国特許公報第２００２／０１３１３３２号
【特許文献２】欧州特許第１０４６９６７号
【特許文献３】米国特許第４５５８９５５号
【特許文献４】欧州特許第０６７０５３２号
【発明の概要】
【課題を解決するための手段】
【００１１】
この目的のために、本発明は下部周囲支持面を備えるムーブメントを収容するケースを備える時計に関連しており、当該ケースは背面カバー及びガラスが別個に接合されたケース中間部を備えている。当該時計は、下部保持面を有する固定要素を備え、ムーブメントは上部周囲支持面を備え、固定要素の下部保持面と上部周囲支持面は相互に接触しており、背面カバーはムーブメントの下部周囲支持面が取付けられている環状周囲肩部を備え、ムーブメントはその下部周囲支持面と上部周囲支持面との間で、それぞれ背面カバーの環状周囲肩部及び固定要素の下部保持面により押さえ付けられていることを特徴とする。
【００１２】
本発明はまた、個別に取得したこのような時計のための背面カバーにも関連し、これは厚さが多様である中空の中央部分及び厚さが一定である環状周囲肩部を備えることを特徴とする。
【００１３】
最後に本発明はまた、このような時計を得るための好ましい接合法にも関連する。当該方法は、ケース内のムーブメントの接合に以下の工程：
‐ムーブメントを文字盤側からケース内に挿入する工程；
‐背面カバーの環状周囲肩部に対してムーブメントの下部周囲支持面を固定する工程；次に、
‐ムーブメントの上部周囲支持面に接している固定要素を用いて背面カバーに対して上記ムーブメントを固定する工程を含むことを特徴とし、そうすることで、ムーブメントはその下部周囲支持面と上部周囲支持面との間で、それぞれ背面カバーの環状周囲肩部及び固定要素の下部保持面により押さえ付けられている。
【００１４】
本発明の１つの利点としては、例えば圧力または温度が大幅に変化する場合でも、ムーブメントから背面カバーの内側面が完全に分離していることにより、背面カバーのどのような変形でも良好に吸収されることが挙げられる。従って、このことはプレート、ひいてはムーブメントの要素全て、特に軸やブリッジに作用するあらゆる不利益なねじり応力を防止する。
【００１５】
好ましい接合法に従えば、ムーブメントは文字盤側でケースの上部から挿入するものであり、このことにより、接合中にケースを裏返す必要がなくなり、よって生産速度が有利に高まる。
【図面の簡単な説明】
【００１６】
本発明の他の特徴及び利点は以下の非限定的な例により、詳細な説明及び図面から明らかになるであろう。
【００１７】
【図１】本発明の好ましい実施形態に従ったケース内でのムーブメントの接合の模式図の断面図である。
【図２】図２Ａ及び図２Ｂは、それぞれ、好ましい実施形態に従った接合方法によるダイバーズウォッチの上面図及び断面図である。
【発明を実施するための形態】
【００１８】
図１は接合された位置での本発明の好ましい実施形態に従った時計の断面図を説明するものであり、制御竜頭７を取り付けて文字盤８の上の針３０を動作させるムーブメント３は本発明の好ましい実施形態に対応する方法によりケース２内に接合される。この好ましい実施形態に従えば、当該ケースは一部品背面カバー‐ケース中間部を含み、すなわちバック部４はケース２の中間部分を形成するケース中間部２０と共に単一部品として形成されている。この一部品部分は、接合工程の省略によってムーブメント３の接合プロセスを簡単にする；この場合、ケース２の上面から、すなわちムーブメントを挿入するために追って背面カバーを接合したり、ケース２を裏返す必要もなく文字盤側からムーブメント３を直接挿入できる。しかし、本発明の接合方法を背面カバー４に適用して、それをケース中間部２０へ嵌め込み、螺子で留め、または接着剤で接着しても、あるいは任意の他の通常の設置方法で接合してもよいことは理解されているものとする。にもかかわらず、ケース中間部２０に背面カバー４を接合する工程はケース内にムーブメント３を挿入する前に行うことが好ましく、そうすることにより文字盤側からムーブメント３を後からでも挿入できるようになる。
【００１９】
内側面の縁では、背面カバー４はムーブメント３が接した第１幅（Ｌ）を有する周囲環状肩部４１、及び深さ（ｄ）の中空中央部４０を備えている。ムーブメント３の下部周囲支持面３１は少なくとも部分的に、第２幅（ｌ）のムーブメント３の上部周囲支持面３２上に重ねられ、この上部周囲支持面３２は、ここでは第３幅（Ｔ）のガラス５の外端部５１の領域５２によって形成された固定要素の下部維持面に固定されており、領域５２の下部面はムーブメント３の上部周囲支持面３２に接している。
【００２０】
好ましい実施形態に従えば、ねじりトルクが最小になるその周囲でムーブメント３を固定して左右対称に押さえ付けるため、上部支持面３２の第２幅ｌより広いムーブメント３の下部周囲支持面３１の第１幅Ｌを選択するが、これはムーブメント３の下部周囲支持面３１の第１幅Ｌより広く選択される基部５１の第３幅Ｔにより補足される。
【００２１】
環状周囲肩部４１では、背面カバーの厚さは一定で（Ｅ）に等しいが、この厚さは中空中央部４０の全体で多様であり、背面カバー４の中央で最少となり値（ｅ）となる。図１から分かるように、等式ｅ＋ｄ＝Ｅとなる。矢印（Ｐ）で示される圧力による力がケース２に掛かると、例えば十数メートル以上の深部に潜水するか、または更に１ｂａｒ以上がケースの外側表面全体に掛かると‐周囲気圧の２倍程度‐、特にその中央部で、中空中央部４０により背面カバー４は多少変形する。但しこれによっても、下部及び上部周囲支持面３１及び３２間で固定されているが中空中央部４０における背面カバー４とは接触していないムーブメントは影響を受けない。従って、背面カバー４の中空中央部４０が再度ムーブメント３と接触する程度まで背面カバーの屈曲が反転することはない圧力値では、ケース２は頑健である。背面カバー４のねじり変形を容易にし、ムーブメント３の周囲固定領域で応力の伝達を防止するため、背面カバー４の中空中央部４０の形状を放物形状になるように選択することが好ましい。
【００２２】
本発明の範囲内では、ムーブメント３の直径は２５〜４０ミリメートルであることが好ましく、その場合、背面カバー４の環状周囲肩部４１の第１幅Ｌは２〜５ミリメートルになるように選択することが好ましい。更に一般的には、その外部応力の影響下で背面カバー４が更に容易に変形しながらもその周囲の固定効果を向上させるため、背面カバーの周囲肩部４１の第１幅Ｌはムーブメント３の直径値の４分の１〜１０分の１になるように選択する。背面カバー４の最大厚が３〜５ミリメートル、上記背面カバーの最小厚ｅが２．５〜４ミリメートルであれば、ケース２は少なくとも約３５ｂａｒの圧力に耐えられる。
【００２３】
図１では、ムーブメント３の上部周囲支持面３２に接した領域５２の延長部において、ガラス５の基部５１がケース中間部２０の肩部２１に接触していることが見て取れる。好ましい実施形態に従えば、下部及び上部周囲部３１及び３２間ではムーブメント３を固定する工程はガラス５の設置と共にケース中間部２０上で、好ましくは超音波溶接により行う。得られた接合構造には、ムーブメント３の上部周囲支持面３２により溶接部へのねじり応力を軽減する利点があり、これによりケース中間部の肩部２１は軸方向に延長され、それによって溶接部間の接続の頑健性及び耐久性を改善するものである。
【００２４】
図示された好ましい実施形態に従えば、中心部からの距離が大幅に異なる領域で見られる類似基準の応力に対する抗力に起因するムーブメントを変形させやすいねじり変形を避けることによって、下部及び上部支持面３１及び３２の部分的な重複はムーブメント３の品質も維持している。
【００２５】
図示された好ましい実施形態では、固定効果を更に向上させるため、第３幅Ｔが４〜８ミリメートルであることが好ましいガラスの外端部５１を全体的に環状周囲肩部４１に重ねることにより、ケースの変形からのムーブメントの保護が更に促進される。ねじりトルクの発生を最小限にする意図の応力分散を左右対称に、かつ最適にする目的で、ヒール５１の第３幅Ｔは環状周囲肩部４１の第１幅Ｌの最大２倍に選択することも好ましい。
【００２６】
但し、従来のムーブメントとは異なり、ケース２のムーブメントの接合中に螺子溝を使用して表面に止り嵌め又はスナップ嵌めを施さないことから、図１のムーブメント３には螺子溝は見られない。
【００２７】
図２Ａ及び２Ｂはそれぞれ、ダイバーズウォッチに対応する時計１の発明に従ったケース２内のムーブメント３を接合する方法の好ましい実施形態における上面図、及び中心線Ａ‐Ａに沿った断面図を示す。
【００２８】
図２Ａはケース２、及びベゼル８に囲まれたガラス５を示すダイバーズウォッチの上面図である。図２Ｂはケース２内の部品を表しており、特に、ムーブメント３には、従来方式における上部に施された螺子溝３３が示されている。この螺子溝３３は提供されていないが、ケース２内にあるムーブメント３の同軸上の保持は確実にされ、この機能は背面カバー４の環状周囲肩部４１及びガラス５の外端部５１の領域５２によって達成されるものであり、これらはそれぞれ、ムーブメント３の下部及び上部周囲支持面３１及び３２を挟み、外端部５１の周囲で下向きになっている小さいくちばし状部分で表される熱溶接領域２２におけるケース中間部２０の肩部２１にガラス５が溶接されるときにムーブメントを固定する。従って、ケース中間部２０へのガラスの熱溶接と同時に、ムーブメント３はガラス５の外端部５１の領域５２と背面カバー４の環状周囲肩部４１との間に固定される。次いでベゼル８はガラス５にスナップで留められる。
【００２９】
図２Ｂで見て取れるように、直径およそ３３ミリメートルのムーブメントに使用される好ましい実施形態に従えば、背面カバー４の環状周囲肩部４１と同様に４ミリメートルに等しい第１幅Ｌを有し、背面カバー４を介してムーブメントを押さえ付けるムーブメントの下部周囲支持面３１と、ガラス５の外端部５１の領域５２と同様に２．５ミリメートルに等しい第２幅ｌを有し、上方からムーブメントを押さえ付けるムーブメントの上部周囲支持面３２とは全体が重なっており、それにより形成された固定部分は、ムーブメントの周囲におけるねじりトルクを最小限にする。同様に、外端部５１は７〜８ミリメートルの第３幅Ｔを有し、ムーブメント３に対するねじり変形応力を最小限にするという同様の理由から環状周囲肩部４１上に全体的に重なっている。熱溶接領域２２上に及ぼす応力を左右対称に、かつ軽減する目的で、ムーブメントをその上部支持面３２に固定する領域５２について熱溶接領域２２の側と反対側に内方向に伸長された部分が外端部５１に含まれる。
【００３０】
好ましい実施形態に従えば、背面カバーの厚さＥはおよそ３ミリメートルであり、その最小の厚さｅは２．５ミリメートルであり、中央部ではおよそ０．５ミリメートルの深さの陥没部がある。背面カバー４の変形を容易にし、ケース背面２に及ぼす応力の分散を最適化するため、背面カバー４の中空中央部４０は放物形状にすることが好ましい。また、圧力に起因する応力を左右対称に、かつ最適に分散させるため、ガラス５の形状及び厚さは背面カバー４と同様にすることが好ましい。
【００３１】
本発明の好ましい実施形態では、下部及び上部周囲支持面３１及び３２間でムーブメント３を固定する操作の後に得られる好ましい接合構造には、固定要素の下部保持面としてガラス５の外端部５１の領域５２が直接備えられ、レーザー溶接操作は、固定要素として作用するガラス５によって背面カバー４の環状周囲肩部４１に向けて圧迫されるムーブメント３を同軸上に保持するための作業を省略するだけでなく、ムーブメント３を取り付けるための操作も省略できる。なぜなら後者は、ガラス５がケース中間部２０に溶接されると同時に背面カバーに固定されるからである。ムーブメントを取り付けるために必要な部品及び接合操作の数が少なくなれば、製造コストが削減できるだけでなく、生産性も向上する。レーザー溶接の代わりに、本発明の範囲を逸脱することなく、例えばろう着、接着または圧入など他の取付け方法が考えられ、更に、図には示していない代替的な実施形態では、ガラス５とムーブメント３との間にリングなどの中間部品を挿入すること、又はガラス５を利用せず、例えばＬ型断片など固定に使用する別の部品をケース中間部２０に直接接合することが考えられ、ここでは、下部固定面を含む第１面をムーブメント３の螺子溝の上に設置し、第２面をケース中間部２０の円形枠に圧入する。
【００３２】
本発明の範囲内で接合された部品、特に背面カバー４はプラスチック材料で形成することが好ましいということも注目に値する。しかし、本発明は、より剛性でありながらも、非常に高い圧力で全く変形しないというものではない鋼又は金属から成る背面カバー４を備える、特にダイバーズウォッチ用のケース２も包含している。
【符号の説明】
【００３３】
１    時計
２    ケース
２０  ケース中間部
２１  ケース中間部肩部
２２  ケース中間部／ガラス熱溶接領域
３    ムーブメント
３０  ムーブメントの針
３１  ムーブメントの下部環状支持面
３２  ムーブメントの上部環状支持面
３３  ムーブメントの螺子溝
４    背面カバー
４０  背面カバーの中空部分
４１  背面カバーの環状肩部
５    ガラス
５１  ガラスの外端部
５２  ムーブメントの表面３２に接するガラス基部の領域
６    文字盤
７    制御竜頭
８    ベゼル
Ｅ    背面カバーの（最大）厚さ
ｅ    背面カバーの（最小）厚さ
ｄ    中央部４０の陥凹部の深さ
Ｌ    下部支持面の第１幅
ｌ     上部支持面の第２幅
Ｔ    ガラスの基部５１の第３幅
Ａ‐Ａ  図２Ａの横断中心線
【図１】
2016515709.tif 000003
【図２Ａ】
2016515709.tif 000004
【図２Ｂ】
2016515709.tif 000005
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
下部周囲支持面（３１）を備えるムーブメント（３）を収容するケース（２）を備える時計（１）であって、前記ケース（２）は背面カバー（４）及びガラス（５）は別個に接合されたケース中間部（２０）を備えており、前記時計（１）は下部保持面を有する固定要素を更に備え、前記ムーブメント（３）は上部周囲支持面（３２）を備え、前記固定要素の前記下部保持面と前記上部周囲支持面（３２）とは相互に接触しており、背面カバー（４）は前記ムーブメント（３）の前記下部周囲支持面（３１）が取付けられている一定の厚さの環状周囲肩部（４１）、及び多様な厚さで放物形状の中空中央部（４０）を備え、前記ムーブメント（３）は、前記ムーブメント（３）の前記下部周囲支持面（３１）と前記上部周囲支持面（３２）との間で、それぞれ前記背面カバー（４）の前記環状周囲肩部（４１）及び前記固定要素の前記下部面により押さえ付けられており、前記ムーブメント（３）の前記下部（３１）及び上部（３２）周囲支持面は少なくとも部分的に重なっていることを特徴とする時計。
【請求項２】
前記固定要素の前記下部保持面は前記ガラス（５）の外端部（５１）の領域（５２）に形成されていることを特徴とする請求項１に記載の時計（１）。
【請求項３】
背面カバー（４）とケース中間部（２０）とは１つの部品を形成することを特徴とする請求項２に記載の時計（１）。
【請求項４】
前記ガラス（５）の前記基部（５１）は全体的に前記背面カバー（４）の前記環状周囲肩部（４１）に重なっていることを特徴とする請求項２または３のいずれかに記載の時計（１）。
【請求項５】
前記ムーブメント（３）の直径は２５〜４０ミリメートルであり、前記背面カバー（４）の周囲肩部（４１）の第１幅（Ｌ）は最大で５ミリメートルに及び、前記ガラス（５）の前記基部（５１）の第３幅（Ｔ）は最大で８ミリメートルに及び、前記基部（５１）の前記領域（５２）の第２幅（ｌ）は最大で４ミリメートルに及ぶことを特徴とする請求項２〜４のいずれかに記載の時計（１）。
【請求項６】
背面カバーは一定の厚さの環状周囲肩部（４１）、及び多様な厚さで放物形状の中空中央部（４０）を備えていることを特徴とする請求項１〜５のいずれかに記載の時計（１）のための背面カバー（４）。
【請求項７】
前記背面カバーの最大厚さ（Ｅ）は３〜５ミリメートルであり、前記背面カバーの最小厚さ（ｅ）は２．５〜４ミリメートルであることを特徴とする請求項６に記載の時計（１）のための背面カバー。
【請求項８】
前記周囲肩部（４１）の幅はムーブメントの直径値の４分の１〜１０分の１であることを特徴とする請求項６または７のいずれかに記載の時計（１）のための背面カバー。
【請求項９】
前記ケース（２）内の前記ムーブメント（３）の接合は以下の工程：
‐前記ムーブメント（３）を文字盤側から前記ケース（２）内に挿入する工程；
‐前記背面カバー（４）の一定の厚さの環状周囲肩部（４１）に対して前記ムーブメント（３）の下部周囲支持面（３１）を固定する工程であって、前記背面カバー（４）は更に、多様な厚さで放物形状の中空中央部（４０）を有している；次に、
‐前記ムーブメント（３）の上部周囲支持面（３２）に接している固定要素を用いて前記背面カバー（４）に対して前記ムーブメント（３）を固定する工程を含み、そうすることで、前記ムーブメントは前記ムーブメント（３）の前記下部周囲支持面（３１）と前記ムーブメント（３）の前記上部周囲支持面（３２）との間で、それぞれ前記背面カバー（４）の前記環状周囲肩部（４１）及び前記固定要素の下部保持面により押さえ付けられており、前記ムーブメント（３）の前記下部（３１）及び上部（３２）周囲支持面は少なくとも部分的に重なっていることを特徴とする請求項１〜５のいずれかに記載の時計（１）のための接合方法。
【請求項１０】
背面カバー（４）とケース中間部（２０）とは１つの部品を形成し、前記固定要素の前記下部保持面は前記ガラス（５）の外端部（５１）の領域（５２）に形成され、前記固定工程は前記ケース中間部（２０）に前記ガラス（５）を接合する工程と共に行われることを特徴とする請求項９に記載の時計（１）のための接合方法。
【国際調査報告】
2016515709.tif 000006
2016515709.tif 000007
2016515709.tif 000008
2016515709.tif 000009